(57)【要約】【課題】  録音用としてマイクを設ける必要がなく低コストで伝言機能を備えたテレビジョン受信装置を提供する。【解決手段】  記録媒体２２は音声信号を記憶する。スピーカー４は、音声信号記録時に、入力されたユーザの音声に応じた音声信号を出力すると共に、音声信号再生時に、入力された音声信号に応じた音声を出力する。マイコン１７は、スピーカー４から供給された音声信号を記録媒体４に記録させる。マイコン１７は、記録媒体２２が記録している音声信号を再生する。マイコン１７は、音声信号を再生後、記録媒体４が記録する音声信号を消去する。マイコン１７は、音声信号を再生後、テレビジョン番組を受信し出力させる。【選択図】      図１
2008301243.tif 000002
【特許請求の範囲】
【請求項１】
音声信号を記憶する記録媒体と、
音声信号記録時に、入力されたユーザの音声に応じた音声信号を出力すると共に、音声信号再生時に、入力された音声信号に応じた音声を出力するスピーカーと、
前記スピーカーから供給された音声信号を前記記録媒体に記録させる記録制御手段と、
前記記録媒体が記録している音声信号を再生する再生制御手段と、
前記再生制御手段による前記音声信号を再生後、前記記録媒体が記録する前記音声信号を消去する手段と、
前記再生制御手段による前記音声信号を再生後、テレビジョン番組を受信し出力する番組受信手段とを備えたことを特徴とするテレビジョン受信装置。
【請求項２】
更に、電源投入を検出する電源投入検出手段と、
前記電源投入検出手段により前記電源投入が検出されると、前記再生制御手段に対して前記記録媒体が記録している音声信号を再生するよう制御する電源ＯＮ再生制御手段とを備えたことを特徴とする請求項１記載のテレビジョン受信装置。
【請求項３】
前記電源ＯＮ再生制御手段は、前記記録媒体に再生する音声信号がないときに無音期間とする電源投入時のミューティング期間に、前記再生制御手段に対して前記記録媒体が記録している音声信号を再生させることを特徴とする請求項２記載のテレビジョン受信装置。
【請求項４】
更に、音声信号を録音指示するためのリモートコントローラを有し、
前記記録制御手段は前記リモートコントローラから入力された録音指示に応じて、前記スピーカーから供給された音声信号を前記記録媒体に記録することを特徴とする請求項１乃至３のいずれか１項記載のテレビジョン受信装置。
【請求項５】
スピーカーにより、音声信号記録時に、入力されたユーザの音声に応じた音声信号を出力すると共に、音声信号再生時に、入力された音声信号に応じた音声を出力し、
記録制御手段により、前記スピーカーから供給された音声信号を記録媒体に記録させ、
再生制御手段により、前記記録媒体が記録している音声信号を再生し、
前記再生制御手段による前記音声信号を再生後、前記記録媒体が記録する前記音声信号を消去し、
前記再生制御手段による前記音声信号を再生後、テレビジョン番組を受信し出力することを特徴とするテレビジョン受信方法。
【発明の詳細な説明】
【技術分野】
【０００１】
この発明は、テレビジョン受信装置に関し、特に伝言機能を備えたテレビジョン受信装置に関する。
【背景技術】
【０００２】
従来、伝言機能を備えたテレビジョン受信装置が知られている（例えば、特許文献１参照）。この特許文献１に記載の伝言機能を備えたテレビジョン受信装置においては録音用としてマイクを設ける必要があるという問題があった。
【特許文献１】特開平０９−１６３２５１号公報
【発明の開示】
【発明が解決しようとする課題】
【０００３】
このように従来の伝言機能を備えたテレビジョン受信装置においては、録音用としてマイクを設ける必要があるという問題があった。
この発明は、スピーカーを切り替えてマイクとして使用することにより、録音用としてマイクを設ける必要がなく低コストで伝言機能を備えたテレビジョン受信装置を提供することを目的とする。
【課題を解決するための手段】
【０００４】
上記の目的を達成するために、この発明においては、音声信号を記憶する記録媒体と、音声信号記録時に、入力されたユーザの音声に応じた音声信号を出力すると共に、音声信号再生時に、入力された音声信号に応じた音声を出力するスピーカーと、前記スピーカーから供給された音声信号を前記記録媒体に記録させる記録制御手段と、前記記録媒体が記録している音声信号を再生する再生制御手段と、前記再生制御手段による前記音声信号を再生後、前記記録媒体が記録する前記音声信号を消去する手段と、前記再生制御手段による前記音声信号を再生後、テレビジョン番組を受信し出力する番組受信手段とを備えたことを特徴とするテレビジョン受信装置を提供する。
【０００５】
また、上記の目的を達成するために、この発明においては、スピーカーにより、音声信号記録時に、入力されたユーザの音声に応じた音声信号を出力すると共に、音声信号再生時に、入力された音声信号に応じた音声を出力し、記録制御手段により、前記スピーカーから供給された音声信号を記録媒体に記録させ、再生制御手段により、前記記録媒体が記録している音声信号を再生し、前記再生制御手段による前記音声信号を再生後、前記記録媒体が記録する前記音声信号を消去し、前記再生制御手段による前記音声信号を再生後、テレビジョン番組を受信し出力することを特徴とするテレビジョン受信方法を提供する。
【０００６】
なお、装置に係る本発明は方法に係る発明としても成立し、方法に係る本発明は装置に係る発明としても成立する。
また、装置または方法に係る本発明は、コンピュータに当該発明に相当する手順を実行させるための（あるいはコンピュータを当該発明に相当する手段として機能させるための、あるいはコンピュータに当該発明に相当する機能を実現させるための）プログラムとしても成立し、該プログラムを記録したコンピュータ読み取り可能な記録媒体としても成立する。
【発明の効果】
【０００７】
この発明は、スピーカーを切り替えてマイクとして使用するので、録音用としてマイクを設ける必要がなく低コストで伝言機能を備えたテレビジョン受信装置を提供することができる。
【発明を実施するための最良の形態】
【０００８】
以下、図面を参照しながら本発明の実施形態について説明する。
図１は、この発明を適用した伝言機能付きテレビジョン受信装置１の構成を示す図である。
図１において、１は、伝言機能付きテレビジョン受信装置である。４は、音声を再生するためのスピーカーである。５は、伝言機能付きテレビジョン受信装置１本体に設けられたスイッチ等から構成される操作部である。６は、伝言機能付きテレビジョン受信装置１を遠隔操作するためのリモートコントローラ（リモコン）であり、このコントローラは赤外線を発光することで制御を行うものである。このリモコン６には、伝言録音ボタン６ａと電源ＯＮ／ＯＦＦボタン６ｂとを有している。７は、リモートコントローラ６からの赤外線信号を受光部である。
【０００９】
１０は放送信号を受信するアンテナである。１１は所望のチャンネルの信号を選局するチューナである。１２はビデオ信号を処理するビデオ処理回路である。１４はオーディオ信号を処理するオーディオ処理回路である。１５は音声信号を記録媒体２０に記録したり、記録媒体２０に記録されている音声信号を再生するデジタル音声記録再生回路である。１６は音声信号を増幅するアンプである。１７は、伝言機能付きテレビジョン受信装置１の各ブロックを制御するマイコンである。１８は、伝言機能付きテレビジョン受信装置１の各ブロックへ電力を供給するための電源回路である。
【００１０】
２０は、音声信号を記録するための記録媒体であり、例えば電気的に消去可能な不揮発性メモリまたはハードディスク等の磁気記録装置から構成されている。２１は、伝言再生時にアンプ１６からの音声信号をスピーカー４へ供給し、伝言録音時にスピーカー４からの信号をオーディオ処理回路１４へ供給するよう切り替える切替スイッチである。この切替スイッチ２１は、マイコン１７からの制御信号により切り替えられる。
【００１１】
次に、このように構成された伝言機能付きテレビジョン受信装置１の伝言の記録再生動作を図２のフローチャートを用いて説明する。
図２は、伝言の記録再生動作を説明するためのフローチャートである。なお、このフローチャートの制御はマイコン１７による制御により動作が行われるものである。
【００１２】
ステップＳ２０１：マイコン１７は、受光部７からの信号を解析することにより、リモコン６の伝言録音ボタン６ａが押されたかを判断する。もし、リモコン６の伝言録音ボタン６ａが押されたならばステップＳ２０２へ進み、押されなければステップＳ２０１へ戻る。
【００１３】
ステップＳ２０２：マイコン１７は、切替スイッチ２１によりスピーカー４をマイクモード、即ちスピーカー４をマイクとして使い、このスピーカー４からの電気信号をオーディオ処理回路１４へ供給するようスイッチを切替える。この切替えにより伝言の音声信号がオーディオ処理回路１４へ供給される。
【００１４】
ステップＳ２０３：マイコン１７は、オーディオ処理回路１４に所定の増幅の後Ａ／Ｄ変換したデジタル化されたオーディオ信号をデジタル音声記録再生回路１５へ供給させる。また、マイコン１７は、デジタル音声記録再生回路１５に対して、オーディオ処理回路１４から供給されたオーディオ信号を記録媒体２０に記録させるよう制御する。この結果、伝言の音声信号が記録媒体２０に記録されていくこととなる。
【００１５】
ステップＳ２０４：マイコン１７は、受光部７からの信号を解析することにより、リモコン６の伝言録音ボタン６ａが再度押されたかを判断する。もし、リモコン６の伝言録音ボタン６ａが再度押されたならばステップＳ２０５へ進み、押されなければステップＳ２０３の録音を継続する。
【００１６】
ステップＳ２０５：マイコン１７は、デジタル音声記録再生回路１５に対して、デジタル化されたオーディオ信号を記録媒体２０に記録する処理を終了する。この結果、１つの伝言が記録媒体２０に記録された状態となる。
【００１７】
ステップＳ２０６：マイコン１７は、切替スイッチ２１によりスピーカー４をスピーカーモード、即ちスピーカー４をスピーカーとして使い、受信した番組の音声信号を音声再生するためにオーディオ処理回路１４からの電気信号をスピーカー４へ供給するようスイッチを切替える。この切替えにより番組の音声信号がスピーカー４へ供給される。この結果、通常の番組を受信するときの状態となる。
【００１８】
ステップＳ２０７：マイコン１７は、リモコン６の電源ＯＮ／ＯＦＦボタン６ｂや操作部５の操作により、伝言機能付きテレビジョン受信装置１の電源がＯＦＦされたかを判断し、電源がＯＦＦされたならば伝言機能付きテレビジョン受信装置１の電源を待機電力のみとなるよう電源回路１８を制御してステップＳ２０８へ進み、ＯＦＦされなければステップＳ２０７を繰り返す。
【００１９】
ステップＳ２０８：マイコン１７は、伝言機能付きテレビジョン受信装置１の電源がＯＦＦされており待機電力により駆動されており、リモコン６の電源ＯＮ／ＯＦＦボタン６ｂや操作部５の操作により、伝言機能付きテレビジョン受信装置１の電源がＯＮされたかを判断し、電源がＯＮされたならばステップＳ２０９へ進み、ＯＮされなければステップＳ２０８を繰り返す。
【００２０】
ステップＳ２０９：マイコン１７は、伝言機能付きテレビジョン受信装置１の電源を待機電力から通常の放送を受信可能なパワーオン状態となるよう電源回路１８を制御して、伝言機能付きテレビジョン受信装置１の電源をＯＮ状態とした後、伝言が記録媒体２０に記録されているか判定し、記録されていた場合には記録された伝言を再生するためにステップＳ２１０へ進み、記録されていない場合には放送を受信するためにステップＳ２１２へ進む。このときマイコン１７は、テレビジョン受信装置１の起動時のミューティング期間を含む期間に伝言を再生するようにする。こうすることで通常は音を出さないミューティング期間を有効に活用することができる。または、伝言機能付きテレビジョン受信装置１の電源をＯＮ状態とした後、伝言が記録されている旨ＧＵＩ機能を用いてユーザに問い合わせ、再生するかどうか問い合わせてから再生するようにしてもよい。こうすることで電源ＯＮ時にユーザが伝言を再生されるか常に注意していなくても済むという効果を得ることができる。
【００２１】
ステップＳ２１０：マイコン１７は、デジタル音声記録再生回路１５に対して記録媒体２０に記録された伝言を読出させてオーディオ処理回路へ供給させ、オーディオ処理回路はこの再生された伝言をＤ／Ａ変換してアンプ１６へ供給させる。アンプにより増幅された音声信号は切替スイッチ２１を介してスピーカー４へ供給されて音声として再生される。
【００２２】
ステップＳ２１１：マイコン１７は、デジタル音声記録再生回路１５に対して記録媒体２０に記録された伝言を消去させた後、ステップＳ２１２へ進む。これにより記録媒体２０に記録された伝言は消去される。
【００２３】
ステップＳ２１２：通常のＴＶ放送の画像、音声を再生する。
以上説明した通りこの発明は、スピーカーを切り替えてマイクとして使用するので、録音用としてマイクを設ける必要がなく低コストで伝言機能を備えたテレビジョン受信装置を提供することができる。
【００２４】
更には、先行技術においては録音用操作部をテレビ本体に設けているが、本発明ではリモコン６操作により実現することが出来るという効果がある。
（変形例）
上記図２のフローチャートでは伝言再生後、自動的に伝言を消去した。この場合再度伝言を再生しようとしても再生することができない。これを防ぐために図３のように変形してもよい。
【００２５】
図３は、伝言の記録再生動作を説明するためのフローチャートである。なお、このフローチャートの制御はマイコン１７による制御により動作が行われるものである。
【００２６】
なお、図２と同じ動作をするところには図２と同一符号を付して説明は省略する。
ステップＳ２０５に代え、ステップＳ３０１が挿入されている。
ステップＳ３０１：マイコン１７は、デジタル音声記録再生回路１５に対して、デジタル化されたオーディオ信号を記録媒体２０に記録する処理を終了するが、更に未再生の伝言があることを示す伝言未再生フラグを立てる。このフラグは記憶媒体２０の一部を使えばよい。
【００２７】
また、ステップＳ２１０に代え、ステップＳ３０２が挿入されている。
ステップＳ３０２：マイコン１７は、デジタル音声記録再生回路１５に対して記録媒体２０に記録された伝言を読出させてオーディオ処理回路へ供給させ、オーディオ処理回路はこの再生された伝言をＤ／Ａ変換してアンプ１６へ供給させる。アンプにより増幅された音声信号は切替スイッチ２１を介してスピーカー４へ供給されて音声として再生される。更に再生後、伝言未再生フラグを下げ、未再生の伝言がない状態とする。
【００２８】
更に、ステップＳ３０２の次にステップＳ３０３とステップＳ３０４とを挿入し、伝言を削除するかどうかをＧＵＩ機能を用いてユーザへ問い合わせている。
ステップＳ３０３：マイコン１７は、ビデオ処理回路１２が備えているＧＵＩ機能を用いてユーザへ伝言を削除するかどうかを問い合わせ、削除する場合にはステップＳ２１１へ進み、削除しない場合にはステップＳ２１２へ進む。
【００２９】
このように記録媒体２０に記録された伝言を自動的に消去しないようにし、後で再度伝言を聞こうとしたときにＧＵＩ等のメニューやリモコン６の特定のボタン押す等してマイコン１７へ指示すると、マイコン１７は再度伝言を再生する。
【００３０】
こうすることで再度伝言を聞くことができるという効果を得ることができる。
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。例えば、第１の実施形態と第２の実施形態とを組み合わせ、所望の番組属性として、ジャンル、チャンネルを組みとしたものとしてもよい。
【図面の簡単な説明】
【００３１】
【図１】本発明を適用した伝言機能付きテレビジョン受信装置１の構成を示す図。
【図２】伝言の記録再生動作を説明するためのフローチャート。
【図３】伝言の記録再生動作の変形例を説明するためのフローチャート。
【符号の説明】
【００３２】
１…伝言機能付きテレビジョン受信装置、４…スピーカー、５…操作部、６…リモートコントローラ、６ａ…伝言録音ボタン、６ｂ…電源ＯＮ／ＯＦＦボタン、７…受光部、１０…アンテナ、１１…チューナ、１２…ビデオ処理回路、１４…オーディオ処理回路、１５…デジタル音声記録再生回路、１６…アンプ、１７…マイコン、１８…電源回路、２０…記録媒体、２１…切替スイッチ。
【図１】
2008301243.tif 000003
【図２】
2008301243.tif 000004
【図３】
2008301243.tif 000005